(57)【特許請求の範囲】
【請求項１】
ポリマー材料から作られた一体構造の足底フレーム（１２）と、
少なくとも１つの第１透湿性要素（１７）と、
少なくとも１つの第２透湿性要素（１８）と
を備えてなり、
前記足底フレーム（１２）は、構造的横断部材（１４）で補強されたリム（１３）を備え、前記リム（１３）および前記構造的横断部材（１４）は、協働して開口仕切室（１５）を画定し、この開口仕切室（１５）は、前記足底フレーム（１２）の対向両表面（１６ａ，１６ｂ）に通じるために前記足底フレーム（１２）を貫通し、
前記第１透湿性要素（１７）は、少なくとも前記開口仕切室（１５）を被覆し、前記開口仕切室（１５）は、前記両表面（１６ａ，１６ｂ）のうち、この第１透湿性要素（１７）が結合された第１表面（１６ａ）に開口し、
前記第２透湿性要素（１８）は、少なくとも前記開口仕切室（１５）を被覆し、前記開口仕切室（１５）は、前記両表面（１６ａ，１６ｂ）のうち、この第２透湿性要素（１８）が結合された第２表面（１６ｂ）に開口し、
前記構造的横断部材（１４）は、前記リム（１３）の横断状対向部分（２１ａ，２１ｂ）を接合しているとともに、これらの横断状対向部分（２１ａ，２１ｂ）に関して、同一の厚さを有している
ことを特徴とする、スポーツ活動に使用するように設計された透湿性底革の備わった靴を含む、靴のための間底構造体（１０）。
【請求項２】
前記両透湿性要素（１７，１８）のうちの少なくとも一方が、三次元布地の層を備えていることを特徴とする請求項１に記載の間底構造体。
【請求項３】
前記両透湿性要素（１７，１８）のうちの少なくとも一方が、防水性・透湿性層（１１８）を備え、この防水性・透湿性層（１１８）が、液体状態にある水の通過に対する耐密性をもたらすように、また、同時に、この間底構造体（１０）の水蒸気に対する透湿性をもたらすように、防水性密封領域によって、前記一体構造の足底フレーム（１２）へ接続されていることを特徴とする請求項１または２に記載の間底構造体。
【請求項４】
前記防水性・透湿性層（１１８）は、液体状態にある水に対して不透過性であって水蒸気に対して透過性であるポリマー材料から作られた膜を備えていることを特徴とする請求項３に記載の間底構造体。
【請求項５】
液体状態にある水に対して不透過性であって水蒸気に対して透過性である前記ポリマー材料は、発泡ポリテトラフルオロエチレン、発泡ポリウレタンの中から選択されていることを特徴とする請求項４に記載の間底構造体。
【請求項６】
前記一体構造の足底フレーム（１２）は、ユーザーのかかとを支えるための第１補強部（１９）を有し、この第１補強部（１９）は、前記リム（１３）が靴のかかとで有する厚さの全体にわたって延出していることを特徴とする請求項１〜５のいずれか１つに記載の間底構造体。
【請求項７】
前記一体構造の足底フレーム（１２）は、ユーザーの第１中足指節関節のための第２補強部（２０）を有し、この第２補強部（２０）は、前記リム（１３）がこの間底構造体の前方部分で有する厚さの全体にわたって延出していることを特徴とする請求項６に記載の間底構造体。
【請求項８】
前記構造的横断部材（１４）は、それらの長さ部分に対して横断状に配置された延長部（２２）を有し、これらの延長部（２２）は、この間底構造体を備えている靴の使用の間にユーザーによってこの間底構造体に加えられた荷重を分散させるように適合されていることを特徴とする請求項１〜７のいずれか１つに記載の間底構造体。
【請求項９】
前記第１透湿性要素（１７）および前記第２透湿性要素（１８）は、それら自体を貫通して、この間底構造体（１０）に対して長手方向にある換気通路を形成していることを特徴とする請求項１〜８のいずれか１つに記載の間底構造体。
【請求項１０】
前記開口仕切室（１５）は、前記第１透湿性要素（１７）および前記第２透湿性要素（１８）で閉鎖されて、この間底構造体（１０）の換気空間（２３）を形成していることを特徴とする請求項１〜９のいずれか１つに記載の間底構造体。
【請求項１１】
前記第１透湿性要素（１７）および前記第２透湿性要素（１８）は、少なくとも周縁で前記リム（１３）へ接続され、前記リム（１３）は、前記両表面（１６ａ，１６ｂ）において前記両透湿性要素（１７，１８）への接続のための対応周縁領域を有していることを特徴とする請求項１〜１０のいずれか１つに記載の間底構造体。
【請求項１２】
前記第１透湿性要素（１７）および前記第２透湿性要素（１８）は、接着剤接合によって、前記リム（１３）に結合されていることを特徴とする請求項１〜１１のいずれか１つに記載の間底構造体。
【請求項１３】
前記一体構造の足底フレーム（１２）は、エチル酢酸ビニルから作られていることを特徴とする請求項１〜１２のいずれか１つに記載の間底構造体。
【請求項１４】
前記一体構造の足底フレーム（１２）は、発泡ポリウレタンから作られていることを特徴とする請求項１〜１２のいずれか１つに記載の間底構造体。
【請求項１５】
前記三次元布地は、ポリプロピレン、ポリアミドおよびポリエステルの中から選択された材料から作られていることを特徴とする請求項２〜１４のいずれか１つに記載の間底構造体。
【発明の詳細な説明】
【技術分野】
【０００１】
この発明は、スポーツ活動に使用するために設計された、透湿性底革が備わった靴を含む、特に靴のための間底構造体（ｍｉｄｓｏｌｅ ｓｔｒｕｃｔｕｒｅ）に関するものである。
【背景技術】
【０００２】
スポーツ活動に使用するために設計された、透湿性底革が備わった靴を含む靴の分野では、地面による足の衝撃を緩和することができるとともに、この衝撃のエネルギーの一部を必要に応じて弾性的に回復させることができる靴を提案する、という必要性を現在、感じている。
【０００３】
このような要求に応じるために、弾性的に撓むとともに衝撃を吸収する材料からなる、ある厚さの底革および間底であって、その厚さは、ユーザーの足がその動きの間に呈する形態に従って解剖学的に自己形成を行うように適合されている底革および間底が知られている。
【０００４】
なじみやすさとともに、これらの間底が有するように設計される別の特性は、地面による足の衝撃を緩和するために有効である機能からなっている。
【０００５】
そのような特徴的構成がなければならないという必要性に応じるために、現在知られている間底は、一般にポリマー材料から、具体的には発泡性のポリウレタンすなわちＰＵ、あるいはエチル酢酸ビニルすなわちＥＶＡから作られている。
【０００６】
空気あるいはゲルが含まれているプラスチック材料から作られた気泡体を備え、変形して、地面による衝撃のエネルギーを一部弾性的に、かつ、一部可塑的に吸収するように適合された衝撃吸収装置を、かかと領域に有している底革および間底もまた、知られている。
【０００７】
公知の間底のうちの他の種類のものには、プラスチック材料から作られた薄片によって構成され、波状の輪郭を有するように輪郭形成され、かつ、地面による衝撃を受けてそれが変形する間に間底の圧縮力を平坦化するように適合され、その衝撃を緩和するために、変形エネルギーの一部を弾性応答として回復させるばねが備わっている。
【発明の概要】
【発明が解決しようとする課題】
【０００８】
スポーツ活動の間における身体的動作の間に、胴体の発汗およびさらには足の発汗がいっそう激しくなることもまた知られている。
【０００９】
ごく最近知られているスポーツ靴では、足の裏によって生成された汗により作り出された湿気の消散通路が容易に見つからず、そのため、その湿気は中底に吸い込まれ、一般にユーザーに不快感を引き起こす。
【００１０】
この発明の目標は、足の裏の換気を行うことができる間底構造体を提供することである。
【００１１】
この目標の範囲内で、この発明の１つの目的は、ユーザーの足の動きに容易に合致させるために、軽量であって可撓性がある間底構造体を考案することである。
【００１２】
この発明の別の目的は、ユーザーの足の衝撃、特に地面による衝撃を効果的に緩和することのできる間底構造体を提供することである。
【００１３】
この発明のさらに別の目的は、ユーザーの足の裏からの水蒸気透過をその間底によって容易に行うことのできる間底構造体を提案することである。
【００１４】
この発明の別の目的は、簡単であって、使用が容易であり、しかも、低コストで製造することのできる間底構造体を提供することである。
【課題を解決するための手段】
【００１５】
この目標、これらの目的、および後にいっそう明らかになるであろう他の諸目的は，
ポリマー材料から作られた一体構造の足底フレームと、少なくとも１つの第１透湿性要素と、少なくとも１つの第２透湿性要素とを備えてなり、
前記足底フレーム（１２）は、構造的横断部材（１４）で補強されたリム（１３）を備え、前記リム（１３）および前記構造的横断部材（１４）は、協働して開口仕切室（１５）を画定し、この開口仕切室（１５）は、前記足底フレーム（１２）の対向両表面（１６ａ，１６ｂ）に通じるために前記足底フレーム（１２）を貫通し、
前記第１透湿性要素（１７）は、少なくとも前記開口仕切室（１５）を被覆し、前記開口仕切室（１５）は、前記両表面（１６ａ，１６ｂ）のうち、この第１透湿性要素（１７）が結合された第１表面（１６ａ）に開口し、
前記第２透湿性要素（１８）は、少なくとも前記開口仕切室（１５）を被覆し、前記開口仕切室（１５）は、前記両表面（１６ａ，１６ｂ）のうち、この第２透湿性要素（１８）が結合された第２表面（１６ｂ）に開口し、
前記構造的横断部材（１４）は、前記リム（１３）の横断状対向部分（２１ａ，２１ｂ）を接合しているとともに、これらの横断状対向部分（２１ａ，２１ｂ）に関して、同一の厚さを有している
ことを特徴とする、スポーツ活動に使用するように設計された透湿性底革の備わった靴を含む、靴のための間底構造体によって達成される。
【図面の簡単な説明】
【００１６】
この発明のさらに別の特性および利点は、添付図面において非限定的な例として示されたこの発明による靴の、好ましいが限定的ではないいくつかの実施形態の記載から、いっそう明らかになるであろう。
【００１７】
【図１】図１は、この発明による間底構造体の縦断面図である。
【図２】図２は、この発明による間底構造体の一部断面平面図である。
【図３】図３は、この発明による間底構造体の分解斜視図である。
【図４】図４は、この発明による間底構造体の使用時の形態における細部の一部断面拡大図である。
【図５】図５は、この発明による間底構造体の代わりの実施形態における細部の拡大断面図である。
【００１８】
この特許獲得過程の間にすでに知られていることがわかったあらゆるものは、特許請求されることがなく、また、放棄の対象でない、と解されることに留意すべきである。
【発明を実施するための形態】
【００１９】
図面によれば、参照符号１０が間底構造体を全体として表わしており、この間底構造体１０は、スポーツ活動に使用するように設計された透湿性底革の備わった靴を含む、特に靴１１のためのものであり、
ポリマー材料から作られた、好ましくはエチル酢酸ビニルあるいは発泡ポリウレタンから作られた一体構造の足底フレーム１２であって、リム１３を備え、このリム１３が構造的横断部材１４で補強されており、リム１３および構造的横断部材１４が協働して開口仕切室１５を画定し、この開口仕切室１５が、そこから対向両表面１６ａおよび１６ｂに通じるために、この足底フレーム１２を貫通している足底フレーム１２と、
第１透湿性要素１７であって、上記開口仕切室１５を被覆し、上記開口仕切室１５が、上記両表面１６ａおよび１６ｂのうち、この第１透湿性要素１７が結合された第１表面１６ａに開口している第１透湿性要素１７と、
第２透湿性要素１８であって、上記開口仕切室１５を被覆し、上記開口仕切室１５が、上記両表面１６ａおよび１６ｂのうち、この第２透湿性要素１８が結合された第２表面１６ｂに開口している第２透湿性要素１８と
を備えてなる点に特徴を有している。
【００２０】
実質的に同等のやり方で、この発明による間底構造体の代わりの実施形態によれば、第１および第２の複数の透湿性要素であって、それぞれが一体構造の足底フレームの両表面に開口する１つ以上の開口仕切室を被覆している第１および第２の複数の透湿性要素が提供される。
【００２１】
有利であるのは、第１透湿性要素１７および第２透湿性要素１８が三次元布地から作られているか、あるいは同等のやり方でその層を備えていることである。
【００２２】
上記の三次元布地は、ポリプロピレン、ポリアミド、ポリエステルあるいは同等物から作られているのが好ましい。
【００２３】
より具体的には、上記透湿性要素１７および１８は、中敷のような形状にされていると好都合であり、また、接着剤によって、あるいはその代案として、その上に一体構造の足底フレーム１２をオーバーモールドすることによって、一体構造の足底フレーム１２と周縁で結合されていると好都合である。
【００２４】
図５に非限定的な例として示されたこの発明による間底構造体１０の構造的変形例において、間底構造体１０に設けられた靴の底革に対向するように設計されているのが好都合である第２透湿性要素１８には、防水性・透湿性層１１８、すなわち、液体状態にある水に対して不透過性であって水蒸気に対して透過性である層が備わっている。
【００２５】
上記の防水性・透湿性層１１８は、液体状態にある水の通過に対する耐密性をもたらすように、また、同時に、間底構造体１０の水蒸気に対する透湿性をもたらすように、防水性密封領域１１９によって、一体構造の足底フレーム１２へ接続されていると好都合である。
【００２６】
好都合であるのは、防水性密封領域１１９が、封止接着剤による接合によって、あるいはその代案として、透湿性要素１８の防水性・透湿性層１１８の上に一体構造の足底フレーム１２をオーバーモールドすることによって、設けられていることである。
【００２７】
好ましいのは、防水性・透湿性層１１８に、発泡ポリテトラフルオロエチレン、発泡ポリウレタンなどから作られているのが好都合である、ポリマー材料から作られた膜１２０が備わっていることである。
【００２８】
さらにまた、膜１２０を保護するとともに補強するための補助層１２１が適切に設けられており、また、好都合であるのは、その補助層１２１が、
合成材料、例えばナイロン（Ｎｙｌｏｎ：登録商標）から作られ、膜１２０に結合されたメッシュ１２２と、
膜１２０を衝撃、切断および穿孔から保護するために膜１２０に対して下方領域に結合され、好ましくは、フェルト、ケブラー（Ｋｅｖｌａｒ：登録商標）、あるいは、強くて拡散状に穿孔された他の材料のような透湿性材料から作られている保護層１２３と、
この保護層１２３に対して下方領域に結合され、かつ、金属材料、合成材料あるいは天然繊維の高密度編み上げメッシュから作られている支持層１２４と
を備えてなることである。
【００２９】
有利であるのは、この発明による間底構造体１０の上記構造的変形例での使用において、その間底構造体１０が有孔底革１２５に結合されていることと、有孔底革１２５に、上記開口仕切室１５の下方における透湿領域１２６があることである。これらの透湿領域１２６は、多数の拡散穴によって、あるいは、足挿入領域から到来する水蒸気の拡散を可能にするように適合された大きい開口１２６ａによって、影響を受けるのが好都合である。
【００３０】
この発明による間底構造体の代わりの実施形態では、その第１透湿性要素にも、上記のような防水性・透湿性膜が備わっている。
【００３１】
この場合において、その膜は、ナイロン（Ｎｙｌｏｎ：登録商標）あるいは他の合成材料から作られたメッシュによって補強されているのが好ましく、上記の保護層および支持層は、この発明による間底構造体の特定の実施形態の技術的特性および動作特性にとってその膜を補強しかつ保護するためにそれらの存在が必要なときには、必要に応じて同様に設けられる。
【００３２】
同じように、この発明による間底構造体の代わりの実施形態では、その第１透湿性要素に、上記のような防水性・透湿性膜が備わっており、また同時に、その第２透湿性要素は、三次元布地から作られているかあるいはその層を備えている。
【００３３】
有利であるのは、一体構造の足底フレーム１２に、ユーザーのかかとを支えるための第１補強部１９が備わっていることである。
【００３４】
上記第１補強部１９は、リム１３が靴のかかとでそのリム１３と相まってユーザーのかかとのための支持体を形成するように有している厚さの全体に実質的に沿って延出している。
【００３５】
一体構造の足底フレーム１２には、ユーザーの第１中足指節関節を支えるための第２補強部２０が備わっているのが好都合であり、この第２補強部２０は、リム１３が間底構造体１０の前方部分で有する厚さの全体を実質的に通して延出している。
【００３６】
このようにして、第２補強部２０は、リム１３と相まって、知られたように、第１中足指節関節に対応するユーザーの足における主載置領域の１つのための支持体を画定している。
【００３７】
好都合であるのは、構造的横断部材１４が、リム１３の横断状対向部分２１ａおよび２１ｂを接合していることと、それらに関して、ユーザーによって間底構造体１０へ加えられた荷重をそれらとともに分かち合うように、実質的に同一の厚さを有していることである。
【００３８】
さらにまた、構造的横断部材１４には、それらの長さ部分に対して横断状に広がる延長部２２があり、これらの延長部２２は、耳たぶ形状であるのが好都合であるとともに、間底構造体１０が備わっている靴１１の使用の間にユーザーによって間底構造体１０に加えられた荷重を分散させるように適合されているのが好都合である。
【００３９】
第１透湿性要素１７および第２透湿性要素１８は、それら自体を貫通して、間底構造体１０に対して実質的に長手方向にある換気通路を形成しているのが有利である。
【００４０】
第１透湿性要素１７および第２透湿性要素１８で閉鎖された開口仕切室１５によって、間底構造体１０の換気空間２３が形成されている。
【００４１】
間底構造体１０が備わっている靴の使用の間に、その上にかかるユーザーの足の圧力によって、その一体構造の足底フレーム１２の実質的な弾性変形が引き起こされる。
【００４２】
例えば、特に図４を参照すると、ユーザーの足により一体構造の足底フレーム１２に生成された応力Ａによって、地面の上におけるユーザーの足の支え部を構成する靴１１の一部分Ｂに対応する換気空間２３の連続的収縮が引き起こされる。
【００４３】
身体的活動の間にユーザーの体重がその上に集中する上記部分Ｂでは、一体構造の足底フレーム１２の変形によって、対応するリム部分１３および構造的横断部材１４の圧縮が部分Ｂの載置平面に対して直角に引き起こされ、かつ、それらの伸張が上記載置平面に対して横断状に引き起こされる。
【００４４】
そのような変形によって、部分Ｂに位置している換気空間２３のうちの少なくとも第１空間２３ａの収縮が明らかになる。
【００４５】
この収縮は上記第１空間２３ａの中に包含された空気へ伝わり、排気圧力が、第１透湿性要素１７と第２透湿性要素１８との間で少なくとも一方を通して、第１空間２３ａに隣接する第２空間２３ｂへ向かってその通過Ｃを引き起こす。
【００４６】
有利であるのは、第１透湿性要素１７と第２透湿性要素１８とが少なくとも周縁で、好ましくは接着剤接合によって、リム１３へ接続されているとともに、上記リムが表面１６ａおよび１６ｂにおいて透湿性要素１７および１８への接続のための対応周縁領域２４を有していることである。
【００４７】
実際に、この発明によれば、上記一体構造の足底フレームの弾性変形のおかげで、足裏の換気を生成することのできる間底構造体が提供され、同時に、ユーザーの足の衝撃、特に地面による衝撃の効果的緩和を保証することで、意図された目標および諸目的が達成されるということがわかった。
【００４８】
さらにまた、微孔性エチル酢酸ビニルあるいは発泡ポリウレタンから主として作られているこの発明による間底構造体は、軽量であって可撓性があり、ユーザーの足の動きに容易に合致するように適合されている。
【００４９】
このように構想されたこの発明は、多数の改良および変更を受けることができ、それらのすべては添付の特許請求の範囲の適用範囲内にあり、また、すべての細部は、技術的に同等の他の要素でさらに置き換えることができる。
【００５０】
実際に、用いられた材料は、それらが特定の用途と親和性のある限り、あり得る形状および大きさと同様に、要求および最新技術に従うどのようなものであってもよい。
【００５１】
この出願が優先権を主張するヨーロッパ特許出願第０９４２５１８３．２号における開示は、参照によってこの明細書の中に組み入れられる。
【００５２】
いずれかの請求項において言及された技術的特徴構成が参照符号に従っているときには、それらの参照符号は、特許請求の範囲の明瞭さを増大させるだけの目的のために含まれており、従って、そのような参照符号は、そのような参照符号によって例として特定されたそれぞれの要素の解釈においてどのような制限的効果も有していない。
【図１】
0005684795.tif 000002
【図２】
0005684795.tif 000003
【図３】
0005684795.tif 000004
【図４】
0005684795.tif 000005
【図５】
0005684795.tif 000006